(57)【要約】【課題】送信先の理解度を知ることができ、また高い理解度を示した文例を再利用できるようにした「翻訳の評価レスポンス」を実現するシステム、サーバ、処理方法及びプログラムを提供する。【解決手段】第１の端末１２は、送信元のものであり、例えば日本人のＡさんが用いている。第２の端末１４は、送信先のものであり、例えば中国人のＢさんが用いている。メール処理サーバ１６は、原文を翻訳すると共に、返信メールに付された理解度レベルをログ１８として記憶している。ログ１８として記憶された理解度レベルに基づいてテンプレートの評価を行う。【選択図】図１
2006113943.tif 000002
【特許請求の範囲】
【請求項１】
送信された翻訳文に対する理解度レベルを入力する理解度入力手段と、この理解度入力手段の入力結果を付して返信メールを返信する返信手段と、この返信手段により返信メールに付された前記理解度入力手段の入力結果を記憶する理解度レベル記憶手段と有するメール処理システム。
【請求項２】
テンプレートを記憶するテンプレート記憶手段と、このテンプレート記憶手段に記憶されたテンプレートに基づいて作成されたメールを送信するメール送信手段と、このメール送信手段により送信されるメールを翻訳する翻訳手段と、この翻訳手段により翻訳された翻訳文を送信する翻訳文送信手段と、この翻訳文送信手段により送信された翻訳文に対する理解度レベルを入力する理解度入力手段と、この理解度入力手段の入力結果を付して返信メールを返信する返信手段と、この返信手段により返信メールに付された前記理解度入力手段の入力結果を記憶する理解度レベル記憶手段と有するメール処理システム。
【請求項３】
前記理解度レベル記憶手段に記憶された理解度レベルを解析する解析手段をさらに有する請求項１又は２記載のメール処理システム。
【請求項４】
メールに付された翻訳文に対する理解度レベルを記憶する理解度レベル記憶手段と、この理解度レベル記憶手段に記憶された理解度レベルを解析する解析手段とを有するメール処理サーバ。
【請求項５】
送信された翻訳文に対する理解度レベルを付して返信メールを返信し、この返信メールに付された理解度レベルを記憶するメール処理方法。
【請求項６】
メールに付された翻訳文に対する理解度レベルを記憶するステップと、このステップにより記憶された理解度レベルを解析するステップとを有するメール処理プログラム。
【発明の詳細な説明】
【技術分野】
【０００１】
本発明は、多言語で文書を交換するためのメール処理システム、メール処理サーバ、メール処理方法及びメール処理プログラムに関する。
【背景技術】
【０００２】
インターネット等のネットワーク環境下にあっては、種々の言語で文書が交換される。種々の言語そのままでは、ユーザが理解できないことがあるので、翻訳サービスが考えられる。従来、電子メールを所定の言語に自動的に翻訳することが知られている（例えば特許文献１）。ところが、従来においては、翻訳の誤りを訂正する手段がないので、間違いなく翻訳するための注意事項を示したり、翻訳を保証しない文例集などを提供するのが一般的であった。
【０００３】
【特許文献１】特開２００３−２０９５８０
【発明の開示】
【発明が解決しようとする課題】
【０００４】
しかしながら、このような従来例では、うまく翻訳されたか、また相手が理解したかを知る手段がなく発信側に不安感が残ったり、翻訳しやすい文章の作り方などが発達しにくい状況であった。
【０００５】
本発明の目的は、送信先の理解度を知ることができ、また高い理解度を示した文例を再利用できるようにした「翻訳の評価レスポンス」を実現するシステム、サーバ、処理方法及びプログラムを提供することにある。
【課題を解決するための手段】
【０００６】
本発明の第１の特徴とするところは、送信された翻訳文に対する理解度レベルを入力する理解度入力手段と、この理解度入力手段の入力結果を付して返信メールを返信する返信手段と、この返信手段により返信メールに付された前記理解度入力手段の入力結果を記憶する理解度レベル記憶手段と有するメール処理システムにある。したがって、返信元からの返信メールには、翻訳文に対する理解度レベルが付されているので、返信先においては、返信元の理解度を知ることができ、また、理解度レベルが記憶されるので、この記憶された理解度レベルに基づいて翻訳文の評価を行うことができる。
【０００７】
本発明の第２の特徴とするところは、テンプレートを記憶するテンプレート記憶手段と、このテンプレート記憶手段に記憶されたテンプレートに基づいて作成されたメールを送信するメール送信手段と、このメール送信手段により送信されるメールを翻訳する翻訳手段と、この翻訳手段により翻訳された翻訳文を送信する翻訳文送信手段と、この翻訳文送信手段により送信された翻訳文に対する理解度レベルを入力する理解度入力手段と、この理解度入力手段の入力結果を付して返信メールを返信する返信手段と、この返信手段により返信メールに付された前記理解度入力手段の入力結果を記憶する理解度レベル記憶手段と有するメール処理システムにある。したがって、返信元からの返信メールには、翻訳文に対する理解度レベルが付されているので、返信先においては、返信元の理解度を知ることができ、また、テンプレートの翻訳文に対する理解度レベルが記憶されるので、この記憶された理解度レベルに基づいてテンプレート又はテンプレートの翻訳文の評価を行うことができる。
【０００８】
好ましくは、前記理解度レベル記憶手段に記憶された理解度レベルを解析する解析手段をさらに有する。
【０００９】
本発明の第３の特徴とするところは、メールに付された翻訳文に対する理解度レベルを記憶する理解度レベル記憶手段と、この理解度レベル記憶手段に記憶された理解度レベルを解析する解析手段とを有するメール処理サーバにある。
【００１０】
本発明の第４の特徴とするところは、送信された翻訳文に対する理解度レベルを付して返信メールを返信し、この返信メールに付された理解度レベルを記憶するメール処理方法にある。
【００１１】
本発明の第５の特徴とするところは、メールに付された翻訳文に対する理解度レベルを記憶するステップと、このステップにより記憶された理解度レベルを解析するステップとを有するメール処理プログラムにある。
【発明の効果】
【００１２】
本発明は、上述したように、返信元の理解度を知ることができ、またテンプレートや翻訳文に対して評価を行うことができるという効果を奏する。
【発明を実施するための最良の形態】
【００１３】
次に本発明の実施形態を図面に基づいて説明する。
図１は、本発明を実施するためのコンピュータシステム１０を示す。好適な実施の形態を説明するためにコンピュータシステム１０を示したが、図示のコンピュータシステム１０に限定されず、ＰＤＡ、携帯電話等、種々の電子的処理システムにおいても用いることができる。第１の端末１２は、例えば日本人のＡさんが用いている。第２の端末１４は、例えば中国人のＢさんが用いている。メール処理サーバ１６は、第１の端末１２と第２の端末１４とに、ＬＡＮやインターネット等のネットワークを介して接続されている。このメール処理サーバ１６を介して第１の端末１２と第２の端末１４との間でメールをやりとりする。メール処理サーバ１６は、後述するように、第１の端末１２と第２の端末１４との送受信時に使用されたテンプレートと理解度レベルとが対となったログ１８として記憶するようになっている。
【００１４】
図２は、メール処理サーバ１６の構成の一形態を示す図である。メール処理サーバ１６は利用者基本ファイル２０と、メール送受信部２２と、翻訳依頼部２４と、翻訳受付部２６と、メール原文・訳文ファイル２８と、コンタクト情報収集、反映部３０と、コンタクト情報ファイル３２と、標準テンプレート記憶部３５と、ユーザテンプレート記憶部３６とを備えている。
【００１５】
利用者基本ファイル２０は、利用者に関する情報、例えば宛先等を記憶する。メール送受信部２２は、メールを受信し、或いはメールを送信する。翻訳依頼部２４は、端末から送られたメールに翻訳指定があると、端末から送られたメッセージを翻訳エンジンサーバ３４に翻訳を依頼する。翻訳エンジンサーバ３４は、送られたメッセージをメール処理サーバ１６から指定された言語に機械翻訳する。翻訳受付部２６は、翻訳エンジンサーバ３４で翻訳された翻訳文を受け付け、メール原文・訳文ファイル２８に送る。
なお、この実施形態においては、翻訳は、翻訳エンジンサーバ３４により行うように構成したが、メール処理サーバ１６内に設けてもよい。
【００１６】
メール原文・訳文ファイル２８は、メール原文と翻訳文を記憶するもので、文略を表現するトピック文と共に時系列に原文、翻訳文を並べて格納するようにする。
【００１７】
コンタクト情報収集、反映部３０は、返信メールに付されている理解度レベルを収集し、テンプレートと理解度レベルとが対となったログ１８をとり、コンタクト情報ファイル３２に記憶させる。
【００１８】
標準テンプレート記憶部３５は、基本となる例文を記憶している。また、ユーザテンプレート記憶部３６は、ユーザ専用の例文を記憶している。
【００１９】
図３において、第１の端末１２で新規のメールを作成するフローが示されている。メールプログラムを起動すると、まずステップ１０において編集画面を表示する。編集画面は、図８に示すように、タイトル入力部４０、添付ファイル入力部４２、返信元の記事入力部（理解度レベル入力部）４４、メール内容入力部４６及び投稿ボタン４８を備えている。次のステップ１２においては、編集画面に基づいて編集が行われる。この編集作業においては、図示しない例文（テンプレート）参照ボタンを押すことにより、図９に示すような例文参照画面に移ることができる。例文は、前述した標準テンプレート記憶部３５又はユーザテンプレート記憶部３６に記憶され、これらから読み出される。例文参照画面においては、ジャンル選択部５０及び編集画面に戻すための戻しボタン５２を有する。ジャンル選択部５０には、例えば「社交メール」等、ジャンルが表示され、その表示された部分をクリックすることにより、図１０に示す具体的な例文（テンプレート）選択画面に移る。例文選択画面は、例文選択部５４、ジャンル選択画面に戻るための戻しボタン５６及び編集画面に戻すための戻しボタン５８を有する。例文選択部５４のいずれかの例文を選択すると、編集画面に戻った場合に内容入力部４６に選択された例文が表示される。編集が終了すると、ステップ１４に進み、投稿ボタン４８を押すことによりメールが送信される。
なお、新規のメールを作成する場合は、理解度レベル入力部４４には理解度レベルは入力されない。
【００２０】
図４において、メール処理サーバ１６に新規メールを受け付けた場合のフローが示されている。まずステップ２０において、メールの受け付け処理を行う。次のステップ２２においては、前述した翻訳依頼部２４から翻訳エンジンサーバ３４に受け付けたメールの翻訳を依頼し、翻訳エンジンサーバ３４で翻訳された翻訳文を翻訳受付部２６で受け付ける。次のステップ２４においては、受け付けた翻訳文をメール原文・訳文ファイル２８に原文と共に格納する。
【００２１】
図５において、第２の端末１４で返信メールを作成するフローが示されている。前述した第１の端末１２による新規メール作成フローにおけるステップ１０、１２、１４（図３に示す）は、返信メール作成フローのステップ３０、３４、３６に対応して同じであり、該返信メール作成フローにおいては、ステップ３２において理解度レベルを入力する点が異なる。即ち、返信メール作成時においては、図８に示した理解度レベル入力部４４に理解度レベルを入力する。理解度レベル入力部４４には、理解度レベル選択ボタン４４ａが配置され、この理解度レベル選択ボタン４４ａにより理解度レベルを選択入力する。理解度レベルは、例えば図１６に示すように、５段階になっている。この理解度レベルを付して返信メールがステップ３６において送信されることになる。
【００２２】
図６において、メール処理サーバ１６に返信メールを受け付けた場合のフローが示されている。前述した新規メールを受け付けた場合におけるステップ２０、２２、２４（図４に示す）は、返信メール受付フローのステップ４０、４４、４６に対応して同じであり、該返信メール受付フローにおいては、ステップ４２において理解度レベルを記憶する点が異なる。即ち、ステップ４２においては、返信メールに付されている理解度レベルを抽出し、図１に示したように、テンプレートと理解度レベルとが対となったログ１８として記憶する。
【００２３】
次に、図１に示したコンピュータシステム１０におけるコミュニケーションの例を図７、図１１乃至図１５に基づいて説明する。まず、第１の端末１２で日本人のＡさんが日本語でメッセージを作成し、中国人のＢさん宛てに送信する。図１１に第１の端末１２での編集画面が示されている。メール処理サーバ１６は、メールを受け取ると、日本語から中国語へ翻訳し、この翻訳された翻訳文はメール原文・訳文ファイル２８に原文と共に格納され、中国語として表示できるようになる。図１２にＢさんが受信したときの表示画面６０が示されている。ここで、図示しない返信ボタンをクリックすると、図１３に示すように、返信するための編集画面が表示される。この編集画面においては、理解度レベル入力部４４に理解度レベルを入力する。返信メールをメール処理サーバ１６へ送ると、メール処理サーバ１６は、メールを受け取り、理解度レベルをログ１８として記憶する。また、メール処理サーバ１６は、メールを受け取ると、中国語から日本語へ翻訳し、この翻訳された翻訳文はメール原文・訳文ファイル２８に原文と共に格納され、日本語として表示できるようになる。図１４にＡさんが受信したときの表示画面６０が示されている。ここで、図示しない返信ボタンをクリックすると、図１５に示すように、返信するための編集画面が表示される。この編集画面においては、理解度レベル入力部４４に理解度レベルを入力する。。返信メールをメール処理サーバ１６へ送ると、メール処理サーバ１６は、メールを受け取り、理解度レベルをログ１８として記憶する。このように、返信メールを送信する度に理解度レベルがログ１８としてメール処理サーバ１６のコンタクト情報ファイル３２に記憶される。
【００２４】
上記のように、ログ１８として記憶された理解度レベルに基づいて、メール処理サーバ１６はテンプレートの評価を行う。図１７に示すように、テンプレートとして１〜３の文例があったとする場合、ログ情報を読み出し、図１８に示すように、１〜３の文例の使用頻度と理解度レベルにより評価する。即ち、１の文例は、使用頻度及び理解度レベルが共に高く、２の文例は理解度レベルは高いが、使用頻度が低く、３の文例は使用頻度及び理解度レベルが共に低い。使用頻度は、所定期間内に使用された各文例の数である。使用頻度及び理解度レベルが高い文例は継続してテンプレートとして標準テンプレート記憶部３５又はユーザテンプレート記憶部３６に記憶させておくが、使用頻度及び理解度レベルが低い文例は標準テンプレート記憶部３５又はユーザテンプレート記憶部３６から削除するか、或いは改善する等の対応を行う。
【産業上の利用可能性】
【００２５】
以上述べたように、本発明は、返信元の理解度を知る必要があるメール処理システムに利用することができる。
【図面の簡単な説明】
【００２６】
【図１】本発明に係る実施形態におけるコンピュータシステムを示す概略図である。
【図２】本発明の実施形態に用いたメール処理サーバを示すブロック図である。
【図３】本発明の実施形態における第１の端末で新規のメールを作成する場合のフローチャートである。
【図４】本発明の実施形態におけるメール処理サーバで新規のメールを処理する場合のフローチャートである。
【図５】本発明の実施形態における第２の端末で返信メールを作成する場合のフローチャートである。
【図６】本発明の実施形態におけるメール処理サーバで返信メールを処理する場合のフローチャートである。
【図７】本発明の実施形態のコンピュータシステム１０におけるコミュニケーションの例を示す説明図である。
【図８】本発明の実施形態の第１の端末における編集画面を示す画面図である。
【図９】本発明の実施形態の第１の端末における例文参照画面を示す画面図である。
【図１０】本発明の実施形態の第１の端末における例文選択画面を示す画面図である。
【図１１】第１の端末で新規メールを作成する場合の編集画面を示す画面図である。
【図１２】第２の端末で新規メールを受信した場合の表示画面を示す画面図である。
【図１３】第２の端末で返信メールを作成する場合の編集画面を示す画面図である。
【図１４】第１の端末で返信メールを受信した場合の表示画面を示す画面図である。
【図１５】第１の端末でさらに返信メールを作成する場合の編集画面を示す画面図である。
【図１６】本発明の実施形態における理解度レベルを示す説明図である。
【図１７】本発明の実施形態における文例を示す説明図である。
【図１８】本発明の実施形態における文例の評価方法を示す説明図である。
【符号の説明】
【００２７】
１０    コンピュータシステム
１２    第１の端末
１４    第２の端末
１６    メール処理サーバ
１８    ログ
２０    利用者基本ファイル
２４    翻訳依頼部
２６    翻訳受付部
２８    メール原文・訳文ファイル
３０    コンタクト情報ファイル
３４    翻訳エンジンサーバ
３５    標準テンプレート記憶部
３６    ユーザテンプレート記憶部
４４    理解度レベル入力部
【図１】
2006113943.tif 000003
【図２】
2006113943.tif 000004
【図３】
2006113943.tif 000005
【図４】
2006113943.tif 000006
【図５】
2006113943.tif 000007
【図６】
2006113943.tif 000008
【図７】
2006113943.tif 000009
【図８】
2006113943.tif 000010
【図９】
2006113943.tif 000011
【図１０】
2006113943.tif 000012
【図１１】
2006113943.tif 000013
【図１２】
2006113943.tif 000014
【図１３】
2006113943.tif 000015
【図１４】
2006113943.tif 000016
【図１５】
2006113943.tif 000017
【図１６】
2006113943.tif 000018
【図１７】
2006113943.tif 000019
【図１８】
2006113943.tif 000020